(57)【特許請求の範囲】
【請求項１】
ａ．円筒状に形成した内包装体内に内容物を一定の間隔を空けて１列に並べて挿入し、この内容物間を個分けシールを行うことにより、一連の連包体を形成する、
ｂ．次に、前記連包体を横２列又は３列に一部重なるようにして並べた後、個分けシールを行った領域において、上段と下段の内容物の一部が重なるようにしながら九十九折りを行い、この九十九折り部分の係合関係により前記上段の内容物が前記下段の内容物に一部を支えられる形として前記上段の内容物及び前記下段の内容物の落下を阻止する、
ｃ．次に、前記九十九折りを行った複数の連包体を一括して外包装する、
ｄ．ことを特徴とする内容物の落下防止包装方法。
【発明の詳細な説明】
【技術分野】
【０００１】
本発明は、おせんべいやクッキーのような商品を保存性や衛生上の問題等の目的から個包装を行い、この個包装した商品を外装袋内に集合包装して販売する際に適用される包装方法に関する。
【０００２】
従来、図７に示す個包装１００された商品１０１を外包装体１０３内に収納して販売する際に、その多くは内部の商品１０１が良く見えるように展示棚に立てて陳列される例が多い。
【０００３】
この時、外包装体１０３内の個包装１００された商品１０１は、図８、図９に示すように外包装体１０３内において底のほうに落下して外包装体１０３の上部に空間１０５ができて見映えが悪くなることから、商品１０１の落下防止のために図１０に示すように個包装した商品１０１をトレー１０４に収容し、トレー１０４ごと外包装体１０３内に密封することが行われている。
【０００４】
しかし、このようにトレー１０４を使用することは、廃棄量の減量化、省資源化及びコストの低減化等の社会的な要請に背くことになる。
【０００５】
そこで、トレー１０４無しで前記のような内容物１０１の落下を防止する包装方法、あるいは包装袋の提案が要望されているが、前記トレー１０４以外のもので有効な手段がないのが現状である。
【発明の概要】
【発明が解決しようとする課題】
【０００６】
本発明は、斯る点に鑑みて提供されるものであって、その目的は、トレー無しで内容物が外装袋内で落下するのを防止して見映えを確保しながら廃棄物の減量化、省資源化及びコストの低減化を図ることができる包装方法を提供することである。
【課題を解決するための手段】
【０００７】
上記目的を達成するため、請求項１に記載した発明は、内容物の落下防止包装方法において、円筒状に形成した内包装体内に内容物を一定の間隔を空けて１列に並べて挿入し、この内容物間を個分けシールを行うことにより、一連の連包体を形成する、次に、前記連包体を横２列又は３列に一部重なるようにして並べた後、個分けシールを行った領域において、上段と下段の内容物の一部が重なるようにしながら九十九折りを行い、この九十九折り部分の係合関係により前記上段の内容物が前記下段の内容物に一部を支えられる形として前記上段の内容物及び前記下段の内容物の落下を阻止する、次に、前記九十九折りを行った複数の連包体を一括して外包装することを特徴とするものである。
【発明の効果】
【０００８】
本発明は、以上のとおり円筒状の内包装体内に内容物を一定の間隔を空けて一列に並べた後、各内容物間を個分けシールを行うことにより一連の連包体を形成し、この連包体を単独で、又は横に２列又は３列と並べると共にこの横に並べた連包体の場合は内容物が横に一部重なるように設定して一緒に九十九折りを行い、この九十九折りとなった連包体を一括して外包装体で包装した。
【０００９】
この結果、九十九折りにした際に、内容物が一部重なり合っていることにより、上段のものが下段のものに一部を支えられている形となり、これが順々に上段に続いて行くため、外包装体を立てにして展示しても、内容物が袋の底の方に落下して固まることはない。
【００１０】
よって、従来のようにトレーを使用しないで済むことにより、廃棄物の減量化、省資源化、コストの低減化を図ることができる。
【図面の簡単な説明】
【００１１】
【図１】連包体の正面図。
【図２】連包体を横に並べて一部内容物が重なるように形成した状態の説明図。
【図３】Ａ−Ａ’線断面図。
【図４】Ｂ−Ｂ’線断面図。
【図５】２列に並べて連包体を九十九折りに形成して外包装体内に収容し、この外包装体を密封した状態の説明図。
【図６】１列に形成した連包体を九十九折りに形成して外包装体内に収容し、この外包装体を密封した実施例２の説明図。
【図７】内容物を個包装した状態の従来例の説明図。
【図８】個包装した内容物を外包装体内に収容して密封し、立てた時に内容物が袋の底の方に落下して固まった状態の説明図。
【図９】Ｃ−Ｃ’線断面図。
【図１０】トレーを用いて個包装した内容物が袋の底に落下しないようにした従来の包装方法の説明図。
【図１１】Ｄ−Ｄ’線断面図。
【発明を実施するための形態】
【実施例１】
【００１２】
本発明は、せんべい、クッキー、和菓子等であって、個包装したものを一定量ずつ一緒に外包装し、この外包装した状態で商品棚に立てて展示する商品に適用される。
【００１３】
以下、図１〜図５に基づいて本発明の実施例を詳細に説明する。
【００１４】
図１は、連包体を示し、この連包体１は、円筒状に形成した長尺の内包装体２内にせんべい３を一定の間隔で１列に並べて挿入し、各せんべい３間を個分けシール４を行った形態である。
【００１５】
次に、図２に示すように上記連包体１を左右に並べ、かつ個分けシール４を行った領域ａにおいて、左右のせんべい３が図４に示すように一部重なるように組み合わせる。
【００１６】
なお、連包体１は左右に２列あるが、商品によっては３列又はそれ以上並べても良い。
【００１７】
次に、上記連包体１を個分けシール４を行った上下のせんべい３間の領域ａにおいて、連包体１を図５に示すように一緒に九十九折りを行い、この状態で連包体１を外包装体５で一括包装する。
【００１８】
なお、外包装体５は、三方シール、ピロー、ガゼット、スタンディングパウチ、ロケット又はカップ包装と称される包装形態を採用することができるが、この外包装体５の形態は自由である。
【００１９】
また、外包装体５の開封口には、再封用にジッパーを取り付けても良い。
【００２０】
連包体１の個分けシール４には、連包体１から個包装ごとに手で簡単に切り離せるよう、個分けシール領域aにおいて、連包体１横断する方向にミシン目などの切れ込みを入れても良い。
【実施例２】
【００２１】
本実施例２は、図１に示した単独の連包体１を九十九折りに形成し、これを外包装体５で密封する例（請求項２）であるが、内包装体２が柔らかい素材の場合には九十九折りの形状を保持できず、実施化が不可能となる場合がある。
【００２２】
そこで、内包装体２の長手方向に強度を付加する手段、例えばヒートシール帯、あるいは補強用のテープをヒートシールすることにより強度を確保して、連包体１を九十九折りしたときにこの形態が崩れないようにすることで実施化を可能にすることができる。
【符号の説明】
【００２３】
１  連包体
２  内包装体
３  せんべい（内容物）
４  個分けシール
５  外包装体
ａ  個分けシール領域
【図１】
0006495593.tif 000002
【図２】
0006495593.tif 000003
【図３】
0006495593.tif 000004
【図４】
0006495593.tif 000005
【図５】
0006495593.tif 000006
【図６】
0006495593.tif 000007
【図７】
0006495593.tif 000008
【図８】
0006495593.tif 000009
【図９】
0006495593.tif 000010
【図１０】
0006495593.tif 000011
【図１１】
0006495593.tif 000012